(57)【要約】【課題】任意サイズのｓＹＣＣ色空間によるカラー画像情報のファクシミリ通信が可能であり、受信機側の出力サイズの指定を送信機側ですることができる通信制御方法を提供する。【解決手段】受信機から送信機に対して、ＪＰＥＧ符号化情報の受信機能、色空間Ｌａｂでのフルカラー情報の受信機能、色空間ｓＹＣＣでのフルカラー情報の受信機能及び色空間ｓＹＣＣで非定型サイズの情報の受信機能の有無を通知する。また、送信機から受信機に対して、ＪＰＥＧ符号化情報、色空間Ｌａｂでのフルカラー情報、色空間ｓＹＣＣでのフルカラー情報及び色空間ｓＹＣＣで非定型サイズの情報の送信を指定する。ここで、色空間ｓＹＣＣで非定型サイズの情報を送信する時に、送信機から受信機に対して受信機側での希望出力サイズが通知される。【選択図】　図１
2004140461.tif 000002
【特許請求の範囲】
【請求項１】
受信機から送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
色空間ｓＹＣＣで非定型サイズの情報の受信機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定し、
色空間ｓＹＣＣで非定型サイズの情報の送信を指定して、
カラー情報を通信する通信制御方法であって、
色空間ｓＹＣＣで非定型サイズの情報を送信する時に、前記送信機から前記受信機に対して該受信機側での希望出力サイズを通知する
ことを特徴とする通信制御方法。
【発明の詳細な説明】
【０００１】
【発明の属する技術分野】
本発明は、ファクシミリ装置における通信制御、特に、カラー情報を受信可能なファクシミリ装置における通信制御に関する。
【０００２】
【従来の技術】
従来のファクシミリ装置では、カラー情報の送信はＩＴＵ−Ｔ勧告Ｔ．８２で規定されているＪＰＥＧ符号化により、ＩＴＵ−Ｔ勧告Ｔ．４２の色空間Ｌａｂでフルカラー情報の送信を実行していた。従来のように、送信機及び受信機ともにスタンドアローンのファクシミリ装置におけるカラー情報の送信では、このような方法でも十分であった。上述したように従来は、送信されるカラーファクシミリ情報の色空間はＬａｂを使用していた。
【０００３】
【発明が解決しようとする課題】
しかしながら、デジタルカメラで撮影したカラー情報の色空間はｓＹＣＣが使用されている。また、パーソナルコンピュータ（ＰＣ）においてカラー情報を表示する場合の色空間もｓＹＣＣが使用されている。そのため、デジタルカメラで撮影した情報、或いは、ＰＣにおいて表示している情報をファクシミリ送信する時は、一度、ｓＹＣＣの色空間からＲＧＢ色空間に戻して、再度、色空間をＬａｂに変換して送信しなければならず、非常に手間がかかるという問題があった。
【０００４】
また、この色空間の変換によって、カラー画像の画質劣化が発生するという問題も発生する。さらに、従来のファクシミリ通信における主走査方向の情報量は、原稿サイズと解像度により決まっており、例えば、Ａ４サイズで２００ｄｐｉの場合は１７２８ビット等とされていた。このため、主走査方向に対して任意の情報量の画像を送信することができず、白情報の付加等が必要であった。
【０００５】
本発明は、このような事情を考慮してなされたものであり、任意サイズのｓＹＣＣ色空間によるカラー画像情報のファクシミリ通信が可能であり、受信機側の出力サイズの指定を送信機側ですることができる通信制御方法を提供することを目的とする。
【０００６】
【課題を解決するための手段】
上記課題を解決するために、本発明に係る通信制御方法は、受信機から送信機に対して、ＪＰＥＧ符号化情報の受信機能の有無を通知し、色空間Ｌａｂでのフルカラー情報の受信機能の有無を通知し、色空間ｓＹＣＣでのフルカラー情報の受信機能の有無を通知し、色空間ｓＹＣＣで非定型サイズの情報の受信機能の有無を通知し、前記送信機から前記受信機に対して、ＪＰＥＧ符号化情報の送信を指定し、色空間Ｌａｂでのフルカラー情報の送信を指定し、色空間ｓＹＣＣでのフルカラー情報の送信を指定し、色空間ｓＹＣＣで非定型サイズの情報の送信を指定するカラー情報を通信する通信制御方法であって、色空間ｓＹＣＣで非定型サイズの情報を送信する時に、前記送信機から前記受信機に対して該受信機側での希望出力サイズを通知することを特徴とする。
【０００７】
【発明の実施の形態】
以下、図面を参照して、本発明の実施の形態について詳細に説明する。
【０００８】
図１は、本発明の一実施形態に係るファクシミリ装置の構成を示すブロック図である。図１において、２６は、バスである。また、２は、ＮＣＵ（網制御装置）である。さらに、４は、電話機である。
【０００９】
ＮＣＵ２は、電話網をデータ通信等に使用するために電話網からの電話回線２ａの端末に接続し、電話交換網の接続制御を行ったり、データ通信路への切り換えを行ったり、ループの保持を行うものである。また、ＮＣＵ２は、バス２６からの制御により、電話回線２ａを電話機４側（２ｂ）に接続（ＣＭＬオフ）したり、電話回線２ａをファクシミリ装置側（２ｃ）に接続（ＣＭＬオン）するものである。尚、通常の状態では、電話回線２ａは電話機４側に接続されている。
【００１０】
１２は、加算回路であり、信号線８ａの情報と信号線１０ａの情報を入力し、加算した結果を信号線１２ａに出力する。また、６は、ハイブリッド回路であり、送信系の信号と受信系の信号とを分離し、加算回路１２からの送信信号をＮＣＵ２経由で電話回線２ａに送出するとともに、相手側からの信号をＮＣＵ２経由で受け取って信号線６ａ経由で変復調器８に送るものである。
【００１１】
８は、変復調器であって、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行うものであり、バス２６の制御により各伝送モードが指定される。変復調器８は、バス２６からの送信信号を入力して変調データを信号線８ａに出力するとともに、信号線６ａに出力されている受信信号を入力して復調データをバス２６に出力する。また、１０は、発呼回路であり、バス２６からの信号により、電話番号情報を入力して信号線１０ａにＤＴＭＦ（Ｄｉａｌ　Ｔｏｎｅ　Ｍｕｌｔｉ　Ｆｒｅｑｕｅｎｃｙ）の選択信号を出力する。
【００１２】
１４は、カラー読み取り可能な読取回路であり、読み取りデータをバス２６に出力する。また、１６は、カラー記録可能な記録回路であり、バス２６に出力されている情報を順次１ライン毎に記録する。さらに、１８は、メモリ回路であり、ワーク用のメモリ（ＲＡＭ）、読み取りデータの生情報、符号化した情報等を格納したり、受信情報や復号化した情報等をバス２６を介して格納するために使用される。
【００１３】
２０は、操作部であり、ワンタッチダイヤル、短縮ダイヤル、テンキー、「＊」キー、「＃」キー、スタートキー、ストップキー、セットキー、カラー情報の送信を選択するキー、送信する色空間を選択するキー、その他のファンクションキーがあり、押下されたキー情報はバス２６に出力される。また、操作部２０には、表示部があって、バス２６に出力されている情報を入力し、表示することができる。
【００１４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１５】
２８は、カードインタフェースである。また、３０は、例えば、デジタルカメラで撮影した情報が記憶され、カードインタフェースに接続（挿入）されるコンパクトフラッシュ（登録商標）カードである。
【００１６】
図２は、本発明の一実施形態において用いられる解像度関連のビット情報、カラー関連のビット情報、新規にＩＴＵ−Ｔ勧告Ｔ．３０に追加する情報を示す図である。
【００１７】
図２に示すように、ＤＩＳ／ＤＴＣ信号のＦＩＦのビット６８により、ＪＰＥＧ受信機能の有無を通知し、ＤＣＳ信号のＦＩＦのビット６８により、ＪＰＥＧ送信を指定をする。
【００１８】
また、ＤＩＳ／ＤＴＣ信号のＦＩＦのビット６９により、色空間Ｌａｂでのフルカラー受信機能の有無を通知し、ＤＣＳ信号のＦＩＦのビット６９により、色空間Ｌａｂでのフルカラー送信を指定をする。
【００１９】
また、ＤＩＳ／ＤＴＣ信号のＦＩＦのビットＸにより、色空間ｓＹＣＣでのフルカラー受信機能の有無を通知し、ＤＣＳ信号のＦＩＦのビットＸにより、色空間ｓＹＣＣでのフルカラー送信を指定をする。
【００２０】
また、ＤＩＳ／ＤＴＣ信号のＦＩＦのビットＸ＋１により、色空間ｓＹＣＣでの非定型サイズ情報の受信機能の有無を通知し、ＤＣＳ信号のＦＩＦのビットＸ＋１により、色空間ｓＹＣＣでの非定型サイズ情報の送信を指定をする。
【００２１】
また、ＤＩＳ／ＤＴＣ信号のＦＩＦのビットＹからビットＹ＋１５により、色空間ｓＹＣＣで受信可能な最大主走査方向のサイズ情報（例えば、画素数）を通知する。尚、ＤＣＳ信号のＦＩＦのビットＹからビットＹ＋１５はｄｏｎ’ｔ　ｃａｒｅである。
【００２２】
また、ＤＩＳ／ＤＴＣ信号のＦＩＦのビットＺからビットＺ＋１５により、色空間ｓＹＣＣで受信可能な最大副走査方向のサイズ情報（例えば、画素数）を通知する。尚、ＤＣＳ信号のＦＩＦのビットＺからビットＺ＋１５はｄｏｎ’ｔ　ｃａｒｅである。
【００２３】
さらに、ＤＩＳ／ＤＴＣ信号のＦＩＦのビットＡからビットＡ＋１５はｄｏｎ’ｔ　ｃａｒｅである。また、ＤＣＳ信号のＦＩＦのビットＡからビットＡ＋１５は受信機側での出力希望主走査長の指定である。
【００２４】
さらに、ＤＩＳ／ＤＴＣ信号のＦＩＦのビットＢからビットＢ＋１５はｄｏｎ’ｔ　ｃａｒｅである。また、ＤＣＳ信号のＦＩＦのビットＢからビットＢ＋１５は受信機側での出力希望副走査長の指定である。
【００２５】
一方、図１において、２４は、制御プログラムを格納するためのＲＯＭである。このＲＯＭ２４には、カラー情報を通信可能なファクシミリ装置おいて、前手順にて、受信機から送信機に、ＪＰＥＧ符号化情報の受信機能の有無を通知する手順、色空間がＬａｂであるフルカラー情報の受信機能の有無を通知する手順、色空間がｓＹＣＣであるフルカラー情報の受信機能の有無を通知する手順、色空間ｓＹＣＣで非定型サイズの情報の受信機能の有無を通知する手順、送信機から受信機に、ＪＰＥＧ符号化情報の送信を指定する手順、色空間がＬａｂであるフルカラー情報の送信を指定する手順、色空間がｓＹＣＣであるフルカラー情報の送信を指定する手順、色空間ｓＹＣＣで非定型サイズの情報の送信を指定する手順を実行するためのプログラムであって、色空間ｓＹＣＣで非定型サイズの情報送信時、送信機から受信機に、受信機側での希望出力サイズを通知する手順を実行する制御プログラムが格納されている。
【００２６】
また、上記制御プログラムによれば、色空間ｓＹＣＣで非定型サイズの情報の送信時、送信機から受信機へは、解像度は指定しない。さらに、上記制御プログラムによれば、色空間ｓＹＣＣで非定型サイズの情報の送信を指定時、実際の主走査方向、及び、副走査方向の情報量はＪＰＥＧファイルにて指定する。さらにまた、上記制御プログラムは、前手順にて、受信機から送信機に、色空間ｓＹＣＣで非定型サイズの情報として受信可能な主走査方向、及び、副走査方向の情報量（例えば、画素数等のサイズ情報）を通知する手順、送信機から受信機に対する色空間ｓＹＣＣで非定型サイズの情報の送信時に、主走査方向及び副走査方向の情報量を通知された情報量以下とする。
【００２７】
図３〜６は、本発明の一実施形態に係るファクシミリ装置における通信制御の流れを説明するためのフローチャートである。
【００２８】
まず、図３に示すように、バス２６を介して、メモリ１８をイニシャライズ（初期化）する（ステップＳ２）。次に、バス２６を介して、操作部２０の表示部をクリアにする（ステップＳ４）。さらに、バス２６を介して、ＮＣＵ２のＣＭＬをオフにする（ステップＳ６）。
【００２９】
次に、ファクシミリ送信が選択されたか否かが判断される（ステップＳ８）。
その結果、ファクシミリ送信が選択された場合（Ｙｅｓ）、ステップＳ１４に進み、ファクシミリ送信が選択されていない場合（Ｎｏ）、ステップＳ１０に進む。
【００３０】
ステップＳ１０では、ファクシミリ受信が選択されたか否かが判断される。その結果、ファクシミリ受信が選択された場合（Ｙｅｓ）、ステップＳ４０に進み、ファクシミリ受信が選択されていない場合（Ｎｏ）、その他の処理をする（ステップＳ１２）。
【００３１】
［ファクシミリ送信］
ステップＳ１４では、カラーファイル情報の送信が選択されたか否かが判断される。その結果、選択されたと判断された場合（ＹＥＳ）であるとステップＳ１８に進み、選択されていないと判断された場合（ＮＯ）はステップＳ１６に進む。ここで、ステップＳ１６では、通常のファクシミリ画信号の送信が実行される。そして、ステップＳ６に戻る。
【００３２】
一方、ステップＳ１８では、バス２６を介して、ＮＣＵ２のＣＭＬをオンにする。そして、発呼回路１０を使用して、指定された宛先へ発呼する（ステップＳ２０）。さらに、前手順が行われる（ステップＳ２２）。
【００３３】
次いで、図４に示すように、発呼先の相手受信機に色空間ｓＹＣＣでのフルカラー受信機能があるか否かが判断される（ステップＳ２４）。その結果、色空間ｓＹＣＣでのフルカラー受信機能があると判断された場合（ＹＥＳ）はステップＳ２６に進み、ないと判断された場合（ＮＯ）はステップＳ３２に進む。
【００３４】
次に、ステップＳ２６では、相手受信機に色空間ｓＹＣＣでの非定型サイズでの受信機能があるか否かが判断される。その結果、色空間ｓＹＣＣでのフルカラー受信機能があると判断された場合（ＹＥＳ）はステップＳ２８に進み、ないと判断された場合（ＮＯ）はステップＳ３２に進む。
【００３５】
また、ステップＳ２８では、送信される主走査画素数を相手受信機が受信可能であるか否かが判断される。その結果、相手受信機が受信可能であると判断された場合（ＹＥＳ）はステップＳ３０に進み、それ以外の場合（ＮＯ）はステップＳ３２に進む。
【００３６】
さらに、ステップＳ３０では、送信される副走査画素数を相手受信機が受信可能であるか否かが判断される。その結果、相手受信機が受信可能であると判断された場合（ＹＥＳ）はステップＳ３４に進み、それ以外の場合（ＮＯ）はステップＳ３２に進む。ここで、ステップＳ３２では通信エラー処理が行われ、その後、ステップＳ６に戻る。
【００３７】
また、ステップＳ３４では、残りの前手順が行われる。この処理では、ＤＣＳ信号のＦＩＦのビット６８、Ｘ、Ｘ＋１を１とする。また、ビットＡからビットＡ＋１５で出力希望主走査長の通知をして、ビットＢからビットＢ＋１５で出力希望副走査長の通知する。例えば、出力希望サイズ（具体的には、主走査長と副走査長）は、ファイルサイズとする。
【００３８】
次いで、ステップＳ３６では、色空間ｓＹＣＣの情報をＪＰＥＧファイルにて送信する。具体的には、ＪＰＥＧファイルのヘッダを用いて、主走査画素数及び副走査画素数を通知する。そして、図５（ａ）に示すように、後手順が行われる（ステップＳ３８）。
【００３９】
一方、図５（ｂ）に示すように、ステップＳ４０では、バス２６を介して、ＮＣＵ２のＣＭＬをオンにする。そして、前手順が行われる（ステップＳ４２）。
この前手順では、ＤＩＳ信号のＦＩＦのビット６８、６９、Ｘ、Ｘ＋１を１とする。また、色空間ｓＹＣＣで受信可能な最大サイズとして、ビットＹからビットＹ＋１５で主走査長を、ビットＺからビットＺ＋１５で副走査長を通知する。
【００４０】
次いで、色空間ｓＹＣＣのＪＰＥＧ送信が指定されたか否かが判断される（ステップＳ４４）。その結果、指定されたと判断された場合（ＹＥＳ）はステップＳ４８に進み、それ以外の場合（ＮＯ）はステップＳ４６に進む。尚、ステップＳ４６では、通常のファクシミリ画信号の受信が実行される。その後、ステップＳ６に戻る。
【００４１】
また、ステップＳ４８では、色空間ｓＹＣＣのＪＰＥＧファイル情報を受信し、コンパクトフラッシュカード３０へのアップロードの実行が行われる。すなわち、送信機側からの出力希望主走査長、出力希望副走査長がファイルに合わせて記憶される。そして、ステップＳ５０では、後手順が行われる。
【００４２】
ここで、ステップＳ１２でその他の処理がされた後は、図６に示されるように、操作部の情報を入力して、コンパクトフラッシュカード３０に格納されている色空間ｓＹＣＣのＪＰＥＧ受信情報のプリントが選択されたか否かが判断される（ステップＳ５２）。その結果、選択されたと判断された場合（ＹＥＳ）はステップＳ５４に進み、それ以外の場合（ＮＯ）はステップＳ６に戻る。
【００４３】
一方、ステップＳ５４では、コンパクトフラッシュカード３０に格納されている色空間ｓＹＣＣのＪＰＥＧ受信情報を出力希望主走査長、出力希望副走査長になるようにプリントが行われる。
【００４４】
以上のようなファクシミリ装置を用いることにより、受信機から送信機に対して、ＪＰＥＧ符号化情報の受信機能の有無を通知し、色空間Ｌａｂでのフルカラー情報の受信機能の有無を通知し、色空間ｓＹＣＣでのフルカラー情報の受信機能の有無を通知し、色空間ｓＹＣＣで非定型サイズの情報の受信機能の有無を通知する。また、送信機から受信機に対して、ＪＰＥＧ符号化情報の送信を指定し、色空間Ｌａｂでのフルカラー情報の送信を指定し、色空間ｓＹＣＣでのフルカラー情報の送信を指定し、色空間ｓＹＣＣで非定型サイズの情報の送信を指定するカラー情報を通信する。そして、色空間ｓＹＣＣで非定型サイズの情報を送信する時に、送信機から受信機に対して受信機側での希望出力サイズを通知する。
【００４５】
このような通信制御によって、任意のサイズの色空間ｓＹＣＣの情報の通信が可能になった。また、送信機から受信機へは、送信解像度を指定せずに、受信機側にてプリントする時の希望プリントサイズを指定することが可能になった、さらに、送信機側のオペレータの希望サイズでのプリントが可能になった。このように、本発明によれば、大変使い易いファクシミリ装置を提供することができる。さらに、上記ファクシミリ装置では、色空間ｓＹＣＣのファイル情報について、デジタルカメラで撮影した情報を全く加工することなく送信することができるので、画像が劣化するという問題も発生しない。
【００４６】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００４７】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４８】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４９】
本発明を上記記録媒体に適用する場合、その記録媒体には、先に説明したフローチャートに対応するプログラムコードが格納されることになる。
【００５０】
本発明の実施態様の例を以下に挙げる。
【００５１】
【実施態様１】受信機から送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
色空間ｓＹＣＣで非定型サイズの情報の受信機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定し、
色空間ｓＹＣＣで非定型サイズの情報の送信を指定して、
カラー情報を通信する通信制御方法であって、
色空間ｓＹＣＣで非定型サイズの情報を送信する時に、前記送信機から前記受信機に対して該受信機側での希望出力サイズを通知する
ことを特徴とする通信制御方法。
【００５２】
【実施態様２】色空間ｓＹＣＣで非定型サイズの情報を送信する時に、前記送信機から前記受信機に対して解像度を指定しないことを特徴とする実施態様１記載の通信制御方法。
【００５３】
【実施態様３】色空間ｓＹＣＣで非定型サイズの情報の送信を指定する時に、該情報の主走査方向及び副走査方向のサイズ情報をＪＰＥＧファイルを用いて指定することを特徴とする実施態様１又は２に記載の通信制御方法。
【００５４】
【実施態様４】前記受信機から前記送信機に対して、色空間ｓＹＣＣで非定型サイズの情報として受信可能な主走査方向及び副走査方向のサイズ情報を通知し、
前記送信機から前記受信機に対する色空間ｓＹＣＣで非定型サイズの情報の送信時に、該情報の主走査方向及び副走査方向のサイズ情報を通知された前記サイズ情報以下とすることを特徴とする実施態様１から３までのいずれか１項に記載の通信制御方法。
【００５５】
【実施態様５】送信機に対して、
ＪＰＥＧ符号化情報の受信機能の有無を通知する手段と、
色空間Ｌａｂでのフルカラー情報の受信機能の有無を通知する手段と、
色空間ｓＹＣＣでのフルカラー情報の受信機能の有無を通知する手段と、
色空間ｓＹＣＣで非定型サイズの情報の受信機能の有無を通知する手段と、
受信機に対して、
ＪＰＥＧ符号化情報の送信を指定する手段と、
色空間Ｌａｂでのフルカラー情報の送信を指定する手段と、
色空間ｓＹＣＣでのフルカラー情報の送信を指定する手段と、
色空間ｓＹＣＣで非定型サイズの情報の送信を指定する手段と
を備え、カラー情報を通信する通信制御装置であって、
色空間ｓＹＣＣで非定型サイズの情報を送信する時に、前記受信機に対して該受信機側での希望出力サイズを通知する手段をさらに備えることを特徴とする通信制御装置。
【００５６】
【実施態様６】色空間ｓＹＣＣで非定型サイズの情報を送信する時に、前記受信機に対して解像度を指定しないことを特徴とする実施態様５記載の通信制御装置。
【００５７】
【実施態様７】色空間ｓＹＣＣで非定型サイズの情報の送信を指定する時に、該情報の主走査方向及び副走査方向のサイズ情報をＪＰＥＧファイルを用いて指定する手段をさらに備えることを特徴とする実施態様５又は６に記載の通信制御装置。
【００５８】
【実施態様８】前記送信機に対して、色空間ｓＹＣＣで非定型サイズの情報として受信可能な主走査方向及び副走査方向のサイズ情報を通知する手段と、前記受信機に対する色空間ｓＹＣＣで非定型サイズの情報の送信時に、該情報の主走査方向及び副走査方向のサイズ情報を通知された前記サイズ情報以下とすることを特徴とする実施態様５から７までのいずれか１項に記載の通信制御装置。
【００５９】
【発明の効果】
以上説明したように、本発明によれば、任意サイズのｓＹＣＣ色空間によるカラー画像情報のファクシミリ通信が可能であり、受信機側の出力サイズの指定を送信機側ですることができる。
【図面の簡単な説明】
【図１】本発明の一実施形態に係るファクシミリ装置の構成を示すブロック図である。
【図２】本発明の一実施形態において用いられる解像度関連のビット情報、カラー関連のビット情報、新規にＩＴＵ−Ｔ勧告Ｔ．３０に追加する情報を示す図である。
【図３】本発明の一実施形態に係るファクシミリ装置における通信制御の流れを説明するためのフローチャートである。
【図４】本発明の一実施形態に係るファクシミリ装置における通信制御の流れを説明するためのフローチャートである。
【図５】本発明の一実施形態に係るファクシミリ装置における通信制御の流れを説明するためのフローチャートである。
【図６】本発明の一実施形態に係るファクシミリ装置における通信制御の流れを説明するためのフローチャートである。
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　カードインタフェース
３０　コンパクトフラッシュカード
【図１】
2004140461.tif 000003
【図２】
2004140461.tif 000004
【図３】
2004140461.tif 000005
【図４】
2004140461.tif 000006
【図５】
2004140461.tif 000007
【図６】
2004140461.tif 000008